【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
流体流からのＳＯｘ、ＮＯｘ及びＣＯの排出を低減させるための方法において、前記方法は、マグネシウム及びアルミニウムからなるとともに約４３度及び約６２度の２θピーク位置にて少なくとも反射を示すＸ線回折パターンを有する材料を前記流体流に接触させる工程を含み、前記材料中におけるマグネシウム対アルミニウムの比率は、約１：１乃至約１０：１である方法。
【請求項２】
前記材料は、該材料を前記流体流と接触させる前に加熱される請求項１に記載の方法。
【請求項３】
前記マグネシウム対アルミニウムの比率は、約１：１乃至約６：１である請求項１に記載の方法。
【請求項４】
前記マグネシウム対アルミニウムの比率は、約１．５：１乃至約１０：１である請求項１に記載の方法。
【請求項５】
前記マグネシウム対アルミニウムの比率は、約１．５：１乃至約６：１である請求項４に記載の方法。
【請求項６】
前記マグネシウム対アルミニウムの比率は、約１．８：１乃至約５：１である請求項５に記載の方法。
【請求項７】
前記マグネシウム対アルミニウムの比率は、約２：１乃至約４：１である請求項６に記載の方法。
【請求項８】
前記材料は形状体である請求項１に記載の方法。
【請求項９】
前記形状体は乾燥した形状体である請求項８に記載の方法。
【請求項１０】
前記形状体は焼成した形状体である請求項８に記載の方法。
【請求項１１】
前記材料は、酸化物当量として計算した場合、約４０重量％以上のマグネシウムを含む請求項１に記載の方法。
【請求項１２】
前記材料は、少なくとも一つの金属酸化剤を更に含む請求項１に記載の方法。
【請求項１３】
前記金属酸化剤中の金属は、アンチモン、ビスマス、カドミウム、セリウム、クロム、コバルト、銅、ジスプロシウム、エルビウム、ユーロピウム、ガドリニウム、ゲルマニウム、金、ホルミウム、イリジウム、鉄、ランタン、鉛、マンガン、モリブデン、ネオジム、ニッケル、ニオブ、オスミウム、パラジウム、白金、プラセオジム、プロメチウム、レニウム、ロジウム、ルテニウム、サマリウム、スカンジウム、セレン、ケイ素、銀、硫黄、タンタル、テルル、テルビウム、スズ、チタン、タングステン、ツリウム、バナジウム、イッテルビウム、イットリウム、亜鉛又はそれらの二つ以上の混合物である請求項１２に記載の方法。
【請求項１４】
前記材料は支持体を更に含む請求項１に記載の方法。
【請求項１５】
前記支持体は、スピネル、ハイドロタルサイト様化合物、酢酸マグネシウム、硝酸マグネシウム、塩化マグネシウム、水酸化マグネシウム、炭酸マグネシウム、ギ酸マグネシウム、チタン酸アルミニウム、チタン酸亜鉛、ジルコン酸アルミニウム、酸化カルシウム、アルミン酸カルシウム、アルミニウムニトロハイドレート、水酸化アルミニウム化合物、アルミニウム含有金属酸化物化合物、アルミニウムクロロハイドレート、チタニア、ジルコニア、粘土、粘土リン酸塩材料、ゼオライト又はそれらの二つ以上の混合物を含む請求項１４に記載の方法。
【請求項１６】
前記支持体は、チタン酸亜鉛、アルミン酸亜鉛又はチタン酸亜鉛／アルミン酸亜鉛である請求項１４に記載の方法。
【請求項１７】
前記流体流はＦＣＣユニットの流体流である請求項１に記載の方法。
【請求項１８】
流体流からのＳＯｘ、ＮＯｘ及びＣＯの排出を低減させるための方法において、前記方法は前記流体流に化合物を接触させる工程を含み、前記化合物は、（ｉ）マグネシウム及びアルミニウムからなるとともに約４３度及び約６２度の２θピーク位置にて少なくとも反射を示すＸ線回折パターンを有する材料であって、該材料中におけるマグネシウム対アルミニウムの比率が約１：１乃至約１０：１である材料と、（ｉｉ）約１重量％乃至約７５重量％のハイドロタルサイト様化合物とを含む、方法。
【請求項１９】
前記化合物は、該化合物を前記流体流と接触させる前に加熱される請求項１８に記載の方法。
【請求項２０】
前記マグネシウム対アルミニウムの比率は、約１：１乃至約６：１である請求項１８に記載の方法。
【請求項２１】
前記マグネシウム対アルミニウムの比率は、約１．５：１乃至約１０：１である請求項１８に記載の方法。
【請求項２２】
前記マグネシウム対アルミニウムの比率は、約１．５：１乃至約６：１である請求項２１に記載の方法。
【請求項２３】
前記マグネシウム対アルミニウムの比率は、約１．８：１乃至約５：１である請求項２２に記載の方法。
【請求項２４】
前記マグネシウム対アルミニウムの比率は、約２：１乃至約４：１である請求項２３に記載の方法。
【請求項２５】
前記化合物は形状体である請求項１８に記載の方法。
【請求項２６】
前記形状体は乾燥した形状体である請求項２５に記載の方法。
【請求項２７】
前記形状体は焼成した形状体である請求項２５に記載の方法。
【請求項２８】
前記材料は、酸化物当量として計算した場合、約４０重量％以上のマグネシウムを含む請求項１８に記載の方法。
【請求項２９】
前記化合物は、（ｉ）マグネシウム及びアルミニウムからなるとともに約４３度及び約６２度の２θピーク位置にて少なくとも反射を示すＸ線回折パターンを有する材料であって該材料中におけるマグネシウム対アルミニウムの比率が約１：１乃至約１０：１である材料を約９９重量％乃至約５０重量％と、（ｉｉ）ハイドロタルサイト様化合物を約１重量％乃至約５０重量％と、からなる請求項１８に記載の方法。
【請求項３０】
前記材料における前記マグネシウム対アルミニウムの比率は、約１：１乃至約６：１である請求項２９に記載の方法。
【請求項３１】
前記材料における前記マグネシウム対アルミニウムの比率は、約１．５：１乃至約１０：１である請求項２９に記載の方法。
【請求項３２】
前記材料における前記マグネシウム対アルミニウムの比率は、約１．５：１乃至約６：１である請求項３１に記載の方法。
【請求項３３】
前記化合物は、（ｉ）マグネシウム及びアルミニウムからなるとともに約４３度及び約６２度の２θピーク位置にて少なくとも反射を示すＸ線回折パターンを有する材料であって該材料中におけるマグネシウム対アルミニウムの比率が約１：１乃至約１０：１である材料を約９９重量％乃至約７５重量％と、（ｉｉ）ハイドロタルサイト様化合物を約１重量％乃至約２５重量％と、からなる請求項２９に記載の方法。
【請求項３４】
前記材料における前記マグネシウム対アルミニウムの比率は、約１：１乃至約６：１である請求項３３に記載の方法。
【請求項３５】
前記材料における前記マグネシウム対アルミニウムの比率は、約１．５：１乃至約１０：１である請求項３３に記載の方法。
【請求項３６】
前記材料における前記マグネシウム対アルミニウムの比率は、約１．５：１乃至約６：１である請求項３５に記載の方法。
【請求項３７】
前記化合物は、（ｉ）マグネシウム及びアルミニウムからなるとともに約４３度及び約６２度の２θピーク位置にて少なくとも反射を示すＸ線回折パターンを有する材料であって該材料中におけるマグネシウム対アルミニウムの比率が約１：１乃至約１０：１である材料を約９５重量％乃至約７５重量％と、（ｉｉ）ハイドロタルサイト様化合物を約５重量％乃至約２５重量％と、からなる請求項３３に記載の方法。
【請求項３８】
前記材料における前記マグネシウム対アルミニウムの比率は、約１：１乃至約６：１である請求項３７に記載の方法。
【請求項３９】
前記材料における前記マグネシウム対アルミニウムの比率は、約１．５：１乃至約１０：１である請求項３７に記載の方法。
【請求項４０】
前記材料における前記マグネシウム対アルミニウムの比率は、約１．５：１乃至約６：１である請求項３９に記載の方法。
【請求項４１】
前記化合物は、少なくとも一つの金属酸化剤を更に含む請求項１８に記載の方法。
【請求項４２】
前記金属酸化剤中の金属は、アンチモン、ビスマス、カドミウム、セリウム、クロム、コバルト、銅、ジスプロシウム、エルビウム、ユーロピウム、ガドリニウム、ゲルマニウム、金、ホルミウム、イリジウム、鉄、ランタン、鉛、マンガン、モリブデン、ネオジム、ニッケル、ニオブ、オスミウム、パラジウム、白金、プラセオジム、プロメチウム、レニウム、ロジウム、ルテニウム、サマリウム、スカンジウム、セレン、ケイ素、銀、硫黄、タンタル、テルル、テルビウム、スズ、チタン、タングステン、ツリウム、バナジウム、イッテルビウム、イットリウム、亜鉛又はそれらの二つ以上の混合物である請求項４１に記載の方法。
【請求項４３】
前記化合物は、支持体を更に含む請求項１８に記載の方法。
【請求項４４】
前記支持体は、スピネル、ハイドロタルサイト様化合物、酢酸マグネシウム、硝酸マグネシウム、塩化マグネシウム、水酸化マグネシウム、炭酸マグネシウム、ギ酸マグネシウム、チタン酸アルミニウム、チタン酸亜鉛、ジルコン酸アルミニウム、酸化カルシウム、アルミン酸カルシウム、アルミニウムニトロハイドレート、水酸化アルミニウム化合物、アルミニウム含有金属酸化物化合物、アルミニウムクロロハイドレート、チタニア、ジルコニア、粘土、粘土リン酸塩材料、ゼオライト又はそれらの二つ以上の混合物を含む請求項４３に記載の方法。
【請求項４５】
前記支持体は、チタン酸亜鉛、アルミン酸亜鉛又はチタン酸亜鉛／アルミン酸亜鉛である請求項４４に記載の方法。
【請求項４６】
前記流体流はＦＣＣユニットの流体流である請求項１８に記載の方法。